(57)【要約】【課題】　駆動電流の調整に対して広いダイナミックレンジを確保でき、高輝度カラー表示に適する有機ＥＬ駆動回路および有機ＥＬ表示装置を提供することにある。【解決手段】　この発明は、基準電流発生回路から基準電流を受けて第１の設定データに応じてＲ，Ｇ，Ｂの表示色のいずれか１つに対応する輝度調整の基準となる電流値の電流を発生する基準電流生成回路と、この基準電流生成回路から輝度調整の基準となる電流を受けて輝度調整のためにこの電流に対して第２の設定データに応じて発生させた電流値を加算あるいは減算して補正した基準電流をＲ，Ｇ，Ｂの表示色のいずれかに対して発生する基準電流補正回路とを備え、第１および第２の設定データがこの有機ＥＬ駆動回路あるいはこの有機ＥＬ表示装置の外部から設定されるものである。【選択図】　　　図１
2004094237.tif 000002
【特許請求の範囲】
【請求項１】
　基準電流発生回路から基準電流を受けて有機ＥＬパネルをその端子ピンを介して駆動するための電流あるいはその基礎となる電流を生成する有機ＥＬ駆動回路において、
　前記基準電流発生回路から前記基準電流を受けて第１の設定データに応じてＲ，Ｇ，Ｂの表示色のいずれか１つに対応する、輝度調整の基準となる電流値の電流を発生する基準電流生成回路と、
　この基準電流生成回路から前記輝度調整の基準となる電流を受けて輝度調整のためにこの電流に対して、第２の設定データに応じて発生させた電流値を加算あるいは減算して補正した基準電流をＲ，Ｇ，Ｂの表示色のいずれかに対して発生する基準電流補正回路とを備え、
　前記第１および第２の設定データがこの有機ＥＬ駆動回路あるいはこの有機ＥＬ表示装置の外部から設定される有機ＥＬ駆動回路。
【請求項２】
　前記基準電流生成回路と前記基準電流補正回路とは、前記Ｒ，Ｇ，Ｂの表示色に対応してそれぞれ設けられている請求項１記載の有機ＥＬ駆動回路。
【請求項３】
３．さらに前記第１および第２の設定データを記憶するメモリを有し、前記Ｒ，Ｇ，Ｂに対応して設けられたそれぞれの前記基準電流補正回路と前記基準電流生成回路は、それぞれ複数のスイッチ回路を有し、前記第１および第２の設定データが前記メモリから読出されて読出されたデータに応じて複数の前記スイッチ回路のＯＮ／ＯＦＦが選択されて前記補正した基準電流が生成される請求項２記載の有機ＥＬ駆動回路。
【請求項４】
　前記メモリは不揮発性メモリであり、前記基準電流生成回路は、１個の入力側トランジスタに対して複数の出力側トランジスタを有する第１のカレントミラー回路を有し、前記複数の出力トランジスタの出力側は、それぞれ自己に設けられた前記複数のスイッチ回路のそれぞれを介して前記輝度調整の基準となる電流を出力する第１の出力端子に接続されている請求項３記載の有機ＥＬ駆動回路。
【請求項５】
　前記基準電流補正回路は、入力端子と、第２の出力端子と、補正電流値発生回路と、前記第１の出力端子から出力された電流を前記入力端子に受けて前記補正した基準電流を前記第２の出力端子に出力する電流合成回路とを有し、前記補正電流値発生回路は、１個の入力側トランジスタに対して複数の出力側トランジスタをそれぞれ有する第２および第３のカレントミラー回路を有し、この第２および第３のカレントミラー回路の前記複数の出力トランジスタの出力側は、それぞれ自己に設けられた前記複数のスイッチ回路のそれぞれを介して前記入力端子あるいは前記第２の出力端子に接続されている請求項４記載の有機ＥＬ駆動回路。
【請求項６】
　前記電流合成回路は、前記入力端子に入力側トランジスタが接続され、出力側トランジスタの出力側が前記第２の出力端子に接続された第４のカレントミラー回路を有し、前記第２の出力端子から電流をシンクする出力を発生する請求項５記載の有機ＥＬ駆動回路。
【請求項７】
　前記第２のカレントミラー回路は、前記第２の出力端子からシンクする電流に対してシンクする電流を加算する電流加算回路であり、前記第３のカレントミラー回路は、前記第２の出力端子からシンクする電流に対してシンクする電流を減算する電流減算回路である請求項６記載の有機ＥＬ駆動回路。
【請求項８】
　前記第４のカレントミラー回路の前記入力側トランジスタは、前記第２のカレントミラー回路の入力側トランジスタとなっていて、前記第２のカレントミラー回路の前記複数の出力側トランジスタの出力側は、前記複数のスイッチ回路を介して前記第２の出力端子に接続されている請求項７記載の有機ＥＬ駆動回路。
【請求項９】
　前記第３のカレントミラー回路の前記入力側トランジスタは、前記第４のカレントミラー回路の前記入力側トランジスタを介して駆動され、前記第３のカレントミラー回路の前記複数の出力側トランジスタの出力側は、前記複数のスイッチ回路を介して前記第２の出力端子に接続されている請求項８記載の有機ＥＬ駆動回路。
【請求項１０】
　前記第２および第３のカレントミラー回路の前記入力側トランジスタは、それぞれ定電流源により駆動され、前記第２のカレントミラー回路は、前記第２の出力端子からシンクする電流に対してシンクする電流を加算する電流加算回路であり、前記第３のカレントミラー回路は、前記入力端子からシンクする電流に対してシンクする電流を減算する電流減算回路である請求項６記載の有機ＥＬ駆動回路。
【請求項１１】
　前記第２のカレントミラー回路の前記複数の出力側トランジスタは、前記複数のスイッチ回路を介して前記第２の出力端子に接続され、前記第３のカレントミラー回路の前記複数の出力側トランジスタは、前記複数のスイッチ回路を介して前記入力端子に接続されている請求項１０記載の有機ＥＬ駆動回路。
【請求項１２】
　第１の基準電流発生回路から第１の基準電流を受けて少なくともＲ，Ｇ，Ｂの３原色の１つの色について所定の基準電流を発生するための基準電流設定回路を有する有機ＥＬ駆動回路において、
　前記基準電流設定回路は、
　前記第１の基準電流発生回路から前記第１の基準電流を受けて第１の設定データに応じて輝度調整の基準となる電流を発生する第２の基準電流生成回路と、
　この第２の基準電流生成回路から前記輝度調整の基準となる電流を受けてこの電流に対して、第２の設定データに応じて発生させた電流値を加算あるいは減算して補正した基準電流を前記所定の基準電流として発生する基準電流補正回路とを有し、
　前記第１および第２の設定データがこの有機ＥＬ駆動回路あるいはこの有機ＥＬ表示装置の外部から設定される有機ＥＬ駆動回路。
【請求項１３】
　前記第２の基準電流発生回路と前記基準電流補正回路とは、前記Ｒ，Ｇ，Ｂの表示色に対応してそれぞれ設けられている請求項１２記載の有機ＥＬ駆動回路。
【請求項１４】
　さらに前記第１および第２の設定データを記憶するためのメモリを有し、前記Ｒ，Ｇ，Ｂに対応して設けられたそれぞれの前記基準電流補正回路と前記第２の基準電流発生回路は、それぞれ複数のスイッチ回路を有し、前記第１および第２の設定データが前記メモリから読出されて読出されたデータに応じて複数の前記スイッチ回路のＯＮ／ＯＦＦが選択されて前記補正した基準電流が生成される請求項１３記載の有機ＥＬ駆動回路。
【請求項１５】
　前記メモリは不揮発性メモリであり、それぞれの前記第２の基準電流発生回路は、１個の入力側トランジスタに対して複数の出力側トランジスタを有する第１のカレントミラー回路を有し、前記複数の出力トランジスタの出力側は、前記輝度調整の基準となる電流を出力するためにそれぞれ自己に設けられた前記複数のスイッチ回路のそれぞれを介して第１の出力端子に接続されている請求項１４記載の有機ＥＬ駆動回路。
【請求項１６】
　請求項１〜１５のいずれか１項に記載されたアクティブマトリックス型有機ＥＬパネルの駆動回路を有する有機ＥＬ表示装置。
【発明の詳細な説明】
【技術分野】
【０００１】
　この発明は、有機ＥＬ駆動回路およびこれを用いる有機ＥＬ表示装置に関し、詳しくは、携帯電話機，ＰＨＳ等の表示装置を有する電子機器において、駆動電流の調整に対して広いダイナミックレンジを確保でき、有機ＥＬ発光材料の相違による発光輝度の相違を吸収できるような高輝度カラー表示に適した有機ＥＬ表示装置に関する。
【背景技術】
【０００２】
　携帯電話機，ＰＨＳ、ＤＶＤプレーヤ、ＰＤＡ（携帯端末装置）等に搭載される有機ＥＬ表示装置の有機ＥＬ表示パネルでは、カラムラインの数が３９６個（１３２×３）の端子ピン、ローラインが１６２個の端子ピンを持つものが提案され、カラムライン、ローラインの端子ピンはこれ以上に増加する傾向にある。
　このような有機ＥＬ表示パネルの電流駆動回路の出力段は、アクディブマトリックス型でも単純マトリックス型のものでも端子ピン対応に電流源の駆動回路、例えば、カレントミラー回路による出力回路が設けられている。
　有機ＥＬ表示装置の問題点は、液晶表示装置のように電圧駆動を行うと、輝度ばらつきが大きくなり、かつ、Ｒ，Ｇ，Ｂに発光感度差があることから表示制御が難しくなる点である。そのため、電流駆動を行っても、Ｒ，Ｇ，Ｂの駆動電流に対する発光効率の比は、例えば、Ｒ：Ｇ：Ｂ＝６：１１：１０程度となる。しかも、このような発光効率は、使用される有機ＥＬ素子の材料によって異なってくる。
　そのために、カラー表示における電流駆動回路では、表示画面上でホワイトバランスを採るために、Ｒ，Ｇ，Ｂ対応に使用材料に応じてそれぞれの輝度調整を図る駆動電流調整回路が設けられる。
　ところで、マトリックス状に配置したＥＬ素子を電流駆動し、かつ、ＥＬ素子の陽極と陰極をグランドに落としてリセットするＥＬ素子の駆動回路が特許文献１として公知である。また、ＤＣ−ＤＣコンバータを用いてＥＬ素子を低消費電力で電流駆動する技術が特許文献２として公知である。
【０００３】
【特許文献１】特開平９−２３２０７４号公報
【特許文献２】特開２００１−１４３８６７号公報
【発明の開示】
【発明が解決しようとする課題】
【０００４】
　有機ＥＬ表示装置の電流駆動回路では、通常、基準電流を電流増幅して各カラムピン対応に有機ＥＬ素子の駆動電流を生成するので、ホワイトバランスを採るための駆動電流の調整は、Ｒ，Ｇ，Ｂに対応するそれぞれの基準電流を調整することで行われている。
　従来、基準電流を調整するために、従来の駆動電流調整回路は、基準電流発生回路に４ビット程度のＤ／Ａ変換回路を設けてＲ，Ｇ，Ｂ対応に、例えば、３０μＡ〜７５μＡの範囲で５μＡ刻みで所定のビットデータを設定することでＲ，Ｇ，Ｂそれぞれの基準電流を調整しているが、最近では各種の有機ＥＬ材料が開発されてきているので、ホワイトバランスを採るための輝度調整の範囲は、４ビット程度のＤ／Ａ変換回路では対応しきれなくなってきている。
　しかし、輝度調整のためのＤ／Ａ変換回路のビット数を、例えば、６ビットないし８ビットに増加とすると、Ｒ，Ｇ，Ｂ対応にＤ／Ａ変換回路がそれぞれ設けられる関係から回路規模が大きくなり、電流駆動回路のワンチップ化が難しくなる。さらには表示装置部分の小型化の要請に十分応えられなくなる。
【０００５】
　一方、最近では、Ｒ，Ｇ，Ｂの調整範囲をカバーする基準電流値の調整範囲として０μＡ〜７５μＡで１μＡ刻みのダイナミックレンジの確保の要請がある。　この発明の目的は、このような従来技術の問題点を解決し、前記の要請に応えるものであって、駆動電流の調整に対して広いダイナミックレンジを確保でき、有機ＥＬ発光材料の相違による発光輝度の相違を吸収できるので、ホワイトバランス等の輝度調整が容易となり、高輝度カラー表示に適する有機ＥＬ駆動回路を提供することにある。
　この発明の他の目的は、駆動電流の調整に対して広いダイナミックレンジを確保でき、高輝度カラー表示に適する有機ＥＬ表示装置を提供することにある。
【課題を解決するための手段】
【０００６】
　このような目的を達成するためのこの発明の有機ＥＬ駆動回路およびこれを用いる有機ＥＬ表示装置の特徴は、基準電流発生回路から基準電流を受けて第１の設定データに応じてＲ，Ｇ，Ｂの表示色のいずれか１つに対応する輝度調整の基準となる電流値の電流を発生する基準電流生成回路と、この基準電流生成回路から輝度調整の基準となる電流を受けて輝度調整のためにこの電流に対して、第２の設定データに応じて発生させた電流値を加算あるいは減算して補正した基準電流をＲ，Ｇ，Ｂの表示色のいずれかに対して発生する基準電流補正回路とを備え、第１および第２の設定データがこの有機ＥＬ駆動回路あるいはこの有機ＥＬ表示装置の外部から設定されるものである。
【発明の効果】
【０００７】
　このように、この発明にあっては、外部から設定される第１の設定データによりＲ，Ｇ，Ｂのいずれか１つに対応する輝度調整の基準となる電流（調整基準の電流）をまず発生して、その基準電流値を中心にして第２の設定データで補正して装置ごとの表示色に対応して補正した基準電流を発生している。これにより、表示色に対応する補正前のそれぞれの基準電流は、発光材料や有機ＥＬ素子の製造ばらつきなどに応じて決定される平均値、中央値あるいは設計値の電流として各Ｒ，Ｇ，Ｂに対応して選択でき、選択した電流値を輝度調整の基準となる電流とし、これに対して補正を行えばよい。そこで、補正前の基準電流に対する補正範囲は、発光材料や有機ＥＬ素子の製造ばらつきなどから生じる、前記の平均値、中央値あるいは設計値の電流値から、さらにばらつく範囲となり、微小であるので、狭い範囲に制限できる。その結果、補正範囲についてのダイナミックレンジを広く採らなくても高精度な電流補正ができる。
【０００８】
　一方、補正前の輝度調整の基準となる電流は、補正ができる範囲に入るような粗い間隔で発生させればよいので、この電流の選択範囲もダイナミックレンジを広く採らなくても済む。
　このように、この発明は、基準電流発生回路からの基準電流に対して、Ｒ，Ｇ，Ｂそれぞれに対応する基準電流を粗いレベルで一旦設定にして、その後にそれを微調整をする２段階調整を採ることにより、駆動電流の調整に対して広い範囲でダイナミックレンジを確保できる。
　その結果、有機ＥＬ発光材料の相違による発光輝度の相違に影響されずに発光材料に対して汎用性のある電流駆動が生成できる。これによりホワイトバランス等の輝度調整が容易となり、高輝度カラー表示に適する有機ＥＬ駆動回路および有機ＥＬ表示装置を実現できる。
【発明を実施するための最良の形態】
【０００９】
　図１は、この発明の有機ＥＬ駆動回路を適用した一実施例の有機ＥＬパネルのカラムドライバを中心とするブロック図、図２は、その基準電流生成回路を中心としたブロック図、そして、図３は、他の基準電流生成回路の具体例のブロック図である。
　図１において、１０は、有機ＥＬパネルの有機ＥＬ駆動回路のカラムＩＣドライバ（以下カラムドライバ）である。
　カラムドライバ１０は、基準電流発生回路１（この発明の第１の基準電流発生回路）と、Ｒ（赤）に対応して設けられた基準電流設定回路２Ｒ、Ｇ（緑）に対応して設けられた基準電流設定回路２Ｇ、そして、Ｂ（青）に対応して設けられた基準電流設定回路２Ｂとを有している。
【００１０】
　各基準電流設定回路２Ｒ，２Ｇ，２Ｂは、それぞれ基準電流発生回路１から基準電流Ｉrefを受けてそれぞれの表示色に対応した基準電流を生成する。これらは、それぞれにカレントミラー回路を入力段に有していて、ここで生成した基準電流でＲ，Ｇ，Ｂに対応して設けられたカレントミラー回路３の入力側トランジスタをそれぞれに駆動する。それぞれのカレントミラー回路３は、端子ピン対応に、生成した基準電流を分配する。
　なお、基準電流設定回路２Ｇ、基準電流設定回路２Ｂが接続されるカレントミラー回路３については基準電流設定回路２Ｒが接続されているカレントミラー回路３と同様な構成であるので、特に図示してはいない。
【００１１】
　基準電流発生回路１は、Ｒ，Ｇ，Ｂに共通の基準電流を発生する回路であって、オペアンプＯＰと、このオペアンプＯＰの出力をゲートに受けて駆動されるＮチャネルトランジスタＴrp、このトランジスタＴrpのソースとグランドＧＮＤ間に設けられた抵抗Ｒp、トランジスタＴrpの上流でこのトランジスタのドレインにそのドレインが接続されたＰチャネルトランジスタＴrqとからなり、トランジスタＴrqのソースが、例えば、３Ｖの電源ライン＋ＶDDに接続されている。そして、このトランジスタＴrqが基準電流設定回路２Ｒ、基準電流設定回路２Ｇ、基準電流設定回路２Ｂのそれぞれの入力段のカレントミラー回路の共通の入力側トランジスタとされ、それぞれの基準電流設定回路の出力側のＰチャネルＭＯＳＦＥＴトランジスタＴr1〜Ｔrk（図２参照）を駆動する。
　オペアンプＯＰの入力側は、（＋）入力が基準電圧源Ｖrefを介してグランドＧＮＤに接続され、（−）入力がトランジスタＴrpのソースに接続されている。トランジスタＴrpのソースは、抵抗Ｒpを介して接地されている。なお、抵抗Ｒpは、このＩＣの端子１０ａを介してこのＩＣの外に取付けされている。
【００１２】
　基準電流設定回路２Ｇと基準電流設定回路２Ｂとは、基準電流設定回路２Ｒと同様な構成であるので、以下では、基準電流設定回路２Ｒについて説明し、基準電流設定回路２Ｇ、基準電流設定回路２Ｂの説明は割愛する。
　基準電流設定回路２Ｒは、基準電流設定回路２Ｇ、基準電流設定回路２Ｂに共通に設けられた不揮発性メモリ２１と、基準電流生成回路２２と、基準電流補正回路２３とを有している。基準電流生成回路（前記のカレントミラー回路、この発明の第２の基準電流発生回路に相当）２２は、この不揮発性メモリ２１のＲに対応する領域から読出されたＲのデータ値、例えばｍに応じて基準電流値Ｉrefをｍ倍にした電流値ＩroのＲについての基準電流を出力する。基準電流補正回路２３は、基準電流生成回路２２の出力電流値Ｉroを約１μＡの分解能で補正するＲについての基準電流の補正回路である。
　さらに、基準電流補正回路２３は、図２に示すように、補正電流値発生回路２３ａと電流合成回路２３ｂとからなる。補正電流値発生回路２３ａは、基準電流生成回路２２の電流値に対して１μＡの分解能で加算あるいは減算する電流を発生する。電流合成回路２３ｂは、基準電流生成回路２２の電流値と補正電流値発生回路２３ａの電流値とを合成してシンク電流Ｉrを出力端子２４に発生する。これにより基準電流補正回路２３は、電流合成回路２３ｂによりその出力端子２４を介してＲに対して補正された基準電流Ｉrを発生し、この基準電流Ｉrによりカレントミラー回路３の入力側トランジスタＴraを駆動する。
【００１３】
　カレントミラー回路３は、入力側のトランジスタＴraと、これとカレントミラー接続されるＴrb〜Ｔrnとを有していて、ＰチャネルＭＯＳＦＥＴトランジスタＴrb〜Ｔrnのソースは、電源ライン＋ＶDD（＝＋３Ｖ）に接続されている。
　トランジスタＴrb〜Ｔrnのドレインは、Ｄ／Ａ変換回路４，４…に接続され、それぞれのドレインからの出力電流は、このＤ／Ａ変換回路４の基準駆動電流とされる。
　各Ｄ／Ａ変換回路４は、ＭＰＵ７からレジスタ６を介して表示データを受けてこの基準駆動電流Ｉrを表示データ値分増幅してそのときどきの表示輝度に応じた駆動電流を生成し、それぞれに出力段電流源５を駆動する。各出力段電流源５は、一対のトランジスタからなるカレントミラー回路で構成され、カラム側の出力端子Ｘ1〜Ｘmを介して駆動電流ｉを有機ＥＬパネル（各有機ＥＬ素子の陽極）に出力する。
　最終段のトランジスタＴrnのドレインは、Ｄ／Ａ変換回路４に接続され、このＤ／Ａ変換回路４を駆動する。Ｄ／Ａ変換回路４は、設定されたデータに応じて出力段電流源５を駆動し、出力段電流源５が出力電流ＩoutをこのＩＣの外部出力端子１０ｂから外部へと出力する。この出力は、次段に設けられたカラムＩＣドライバに入力されて、同様な駆動電流を発生するモニタ電流にされる。
【００１４】
　図２は、基準電流設定回路２Ｒの具体的な構成を示すものであって、基準電流設定回路２Ｒは、データ設定によりプログラム可能な電流値調整回路である。
　基準電流生成回路２２は、基準電流値Ｉrefが流れるトランジスタＴrqにより駆動されるＰチャネルのトランジスタＴr1〜Ｔrkからなるカレントミラー回路である。カレントミラー接続のトランジスタＴr1〜Ｔrkのソースは、電源ライン＋ＶDDに接続され、各トランジスタのドレインは、スイッチ回路ＳＷ1〜ＳＷkを介して出力端子２２ａに接続され、これにＲについての基準電流として電流値Ｉroの電流を出力する。出力端子２２ａは、電流合成回路２３ｂのＮチャネルのカレントミラーの入力側トランジスタＴrrのドレインに接続されていて、トランジスタＴrrに電流値Ｉroを流す。このトランジスタのソースは接地されている。
　電流合成回路２３ｂは、トランジスタＴrrを入力側トランジスタとし、ＮチャネルトランジスタＴrsを出力トランジスタとするカレントミラー回路で構成され、トランジスタＴrsのドレインが出力端子２４に接続され、そのソースは接地されている。
【００１５】
　補正電流値発生回路２３ａは、電流加算回路２３ｃと電流減算回路２３ｄとを有している。電流加算回路２３ｃは、トランジスタＴrrの入力側トランジスタとカレントミラー接続されたＮチャネルの出力トランジスタＱn1，Ｑn2〜Ｑnnからなるカレントミラー回路であり、トランジスタＱn2〜ＱnnのソースがグランドＧＮＤに接続され、それぞれのドレインは、スイッチ回路ＳＷn2〜ＳＷnnを介して出力端子２４に接続されている。これによりスイッチ回路ＳＷn2〜ＳＷnnのＯＮ／ＯＦＦに応じて発生した電流の電流値分が出力端子２４からシンクされる。そこで、出力端子２４にシンクされる電流Ｉrには、スイッチ回路ＳＷn2〜ＳＷnnのＯＮ／ＯＦＦに応じて発生する電流値分が加算される。なお、出力側トランジスタＱn2〜Ｑnnに対するカレントミラーの入力側トランジスタは、電流合成回路２３ｂの入力側トランジスタＴrrになっている。
【００１６】
　電流減算回路２３ｄは、出力トランジスタＱn1の上流側に設けられたトランジスタＱp1と、このトランジスタＱp1が入力トランジスタとされ、トランジスタＱp2〜Ｑpnが出力トランジスタとされたカレントミラー回路を有している。
　トランジスタＱp1〜Ｑpnのソースは、電源ライン＋ＶDDに接続され、トランジスタＱp2〜Ｑpnのドレインは、スイッチ回路ＳＷp2〜ＳＷpnを介して出力端子２４に接続されている。これによりスイッチ回路ＳＷp2〜ＳＷpnのＯＮ／ＯＦＦに応じて発生した電流の電流値分が出力端子２４へ流出する。そこで、出力端子２４にシンクする電流Ｉrには、スイッチ回路ＳＷp2〜ＳＷpnのＯＮ／ＯＦＦに応じて発生する電流値分が減算される。
　したがって、基準電流補正回路２３は、スイッチ回路ＳＷn2〜ＳＷnnとスイッチ回路ＳＷp2〜ＳＷpnとの選択的なＯＮ／ＯＦＦによりシンクされる出力端子２４の電流値Ｉrを調整することができる。なお、このとき加算あるいは減算する電流値は、スイッチ回路のＯＮさせた個数で決定される。
【００１７】
　ここで、トランジスタＴrrとトランジスタＴrsとのゲート幅比（チャネル幅比）は２０：２０であり、トランジスタＴrrとトランジスタＱn1〜Ｑnnのゲート幅比（チャネル幅比）は２０：１、そして、トランジスタＴrrとトランジスタＱp1〜Ｑpnのゲート幅比（チャネル幅比）は２０：１である。これにより、ここで、調整される電流値は、出力端子２２から流入する電流値Ｉroに対してＩro／２０の分解能において出力端子２４の電流値Ｉrを加減算することができる。ここで、Ｉroを２０μＡとすれば、補正する電流値の分解能は、１μＡ程度になる。
【００１８】
　スイッチ回路ＳＷ1〜ＳＷkとスイッチ回路ＳＷn2〜ＳＷnnとスイッチ回路ＳＷn2〜ＳＷnnとは、不揮発性メモリ２１のＲについての設定データに応じてそれぞれのＯＮ／ＯＦＦが設定される。Ｒについての設定データは、Ｒについての記憶した領域から、例えば、ＭＰＵ７によって読出される。なお、これは、電源ＯＮと同時に不揮発性メモリ２１から自動的に読出されるものでもよい。
　まず、基準電流生成回路２２のスイッチ回路ＳＷ1〜ＳＷkのＯＮ／ＯＦＦを選択することで、Ｒ，Ｇ，Ｂの発光輝度に対応した電流値を粗いレベルで設定して輝度調整の基準となる電流値ＩroのＲにつていの基準電流を発生させる。次に、この輝度調整の基準となる電流値Ｉroに対して装置ごとに発光材料や有機ＥＬ素子の製造ばらつきなどによる輝度を調整するために加算側スイッチ回路ＳＷn2〜ＳＷnnあるいは減算側スイッチ回路ＳＷp2〜ＳＷpnのＯＮ／ＯＦＦを設定する。
【００１９】
　これらの調整をするためのデータは、この有機ＥＬ駆動回路あるいはこの有機ＥＬ表示装置の外部からＭＰＵ７を介して不揮発性メモリ２１にデータを設定することで行われる。Ｒ，Ｇ，Ｂの使用材料に対応する発光輝度に対応してあらかじめ得られた値をデータとして不揮発性メモリ２１に記憶しておき、スイッチ回路ＳＷ1〜ＳＷkのＯＮ／ＯＦＦさせる。この場合のデータ値は、発光材料や有機ＥＬ素子の製造ばらつきなどに応じて決定される平均値、中央値あるいは設計値として与えられるものである。
　これとは別に、例えば、製品の動作テスト段階あるいは出荷テスト段階において、実際に装置ごとＲ，Ｇ，Ｂについてそれぞれに最大輝度に設定して表示輝度を表示画面を測定器で測定してあるいは目視観測によりスイッチ回路ＳＷn2〜ＳＷnnとスイッチ回路ＳＷp2〜ＳＷpnをＯＮ／ＯＦＦする設定データを決定し、これを外部からＭＰＵ７を介して設定してホワイトバランスの調整を行うものである。
　この不揮発性メモリ２１に記憶されるデータは、ＭＰＵ７から設定され、不揮発性メモリ２１は、Ｒ，Ｇ，Ｂごとに各領域が割り当てられていて、基準電流設定回路２Ｒ、基準電流設定回路２Ｇ、基準電流設定回路２Ｂのそれぞれの同様なスイッチ回路に対してＯＮ／ＯＦＦするデータが送出される。
【００２０】
　ところで、図２の実施例の基準電流補正回路２３は、基準電流生成回路（カレントミラー回路）２２の電流値Ｉroに対して電流加算回路２３ｃと電流減算回路２３ｄでそれぞれに１／２０の単位で電流を発生して加算，減算して補正をする回路になっている。そのため、補正する電流値が電流値Ｉroに応じて決定され、電流値Ｉroに応じて相違してくる。
　このような補正上の問題を回避するには、スイッチ回路ＳＷn2〜ＳＷnnとスイッチ回路ＳＷp2〜ＳＷpnのＯＮする数を増減して調整することにより対応できる。
　これとは別に、加減算補正する電流を一定の電流値単位とすることも可能である。これは、例えば、電流加算回路２３ｃと電流減算回路２３ｄとを駆動する電流をトランジスタＴrrを入力側トランジスタとするカレントミラー接続の出力側トランジスタＱn1〜Ｑnnにより発生するのではなく、トランジスタＴrrとは独立に入力側トランジスタを設け、これを１μＡ程度の電流を発生する電流源で駆動し、その入力側トランジスタによりトランジスタＱｐ1とトランジスタＱn2〜Ｑnnをそれぞれ駆動するようにすればよい。
　なお、電流加算回路２３ｃのトランジスタＱｎ2〜Ｑnnの出力と電流減算回路２３ｄのトランジスタＱp2〜Ｑpnの出力は、出力端子２４ではなく、基準電流生成回路２２の出力端子２２ａの電流に対して加えるようにすることで可能である。この場合には、電流加算回路２３ｃが電流減算回路となり、電流減算回路２３ｄが電流加算回路となる。
【００２１】
　図３は、他の基準電流設定回路２０の具体例のブロック図である。
　図２の回路との相違する点は、図２の電流減算回路２３ｄをＮチャネルトランジスタＱ1〜Ｑnからなるカレントミラー回路で形成される電流減算回路２３ｅとし、出力端子２４のシンク電流値Ｉrに対して１μＡの分解能に相当する電流値ΔＩの電流源８，９を設けて、電流合成回路２３ｂの入力側と出力側とに分けて電流Ｉrに対する加減算をすることにある。
　図２と同じ電流減算回路２３ｃは、トランジスタＱn1を入力側とし、トランジスタＱn2〜Ｑnnを出力側トランジスタとするカレントミラー回路で構成され、入力側トランジスタＱn1が電流値ΔＩの電流源８から駆動電流を受けて出力側トランジスタＱn2〜Ｑnnにそのミラー電流（グランドへシンクする電流）を発生し、これをスイッチ回路ＳＷn2〜ＳＷnnを介して出力端子２４に出力する。これにより出力端子２４から出力される電流ＩrにΔＩ×Ｐの電流を加算する。なお、Ｐは、このときＯＮさせたスイッチ回路の個数である。
【００２２】
　一方、電流減算回路２３ｅは、カレントミラーの入力側トランジスタＱ1が電流値ΔＩの電流源９から駆動電流を受けて出力側トランジスタＱ2〜Ｑnにそのミラー電流（グランドへシンクする電流）を発生し、これをスイッチ回路ＳＷｐ2〜ＳＷpnを介して電流合成回路２３ｂの入力側である出力端子２２ａからの供給される電流の一部をグランドＧＮＤへとシンクする。これによりトランジスタＴrrの駆動電流が減少して、出力端子２４から出力される電流ＩrからΔＩ×Ｋの電流を減算する。
　なお、Ｋは、このときＯＮさせたスイッチ回路の個数である。
　ここでは、トランジスタＴrsとトランジスタＱn1〜Ｑnnのゲート幅比（チャネル幅比）は１０：１、そして、トランジスタＴrrとトランジスタＱ1〜Ｑnのゲート幅比（チャネル幅比）は１０：１である。ΔＩを１μＡとすれば、補正する電流値の分解能は、１μＡ程度になる。
　その動作は、図２と同様であるので割愛する。
【産業上の利用可能性】
【００２３】
　以上説明してきたが、実施例の不揮発性メモリ２１は、不揮発性メモリではなく、通常のＲＡＭあるいはレジスタ等の揮発性メモリを使用することができる。この場合には、電源投入時あるいは表示装置の起動時等にＭＰＵ７（あるいはＣＰＵ）から必要なデータをこの揮発性メモリに格納すればよい。なお、不揮発性メモリ２１あるいはこれのデータが転送されるＲＡＭからの設定データの読出は、コントローラ等によって読出されてもよく、あるいは常時読出状態にあってもよい。
　また、実施例の補正電流値発生回路には電流加算回路と電流減算回路とが設けられているが、基準電流生成回路で発生する電流値を、そのばらつきの下限側に設定しておけば、電流加算回路だけ設けることでも微調整が可能である。逆に基準電流生成回路で発生する電流値を、そのばらつきの上限側に設定しておけば、電流減算回路だけ設けるだけでも微調整が可能である。
　さらに、現在のところＧ，Ｂの表示色に対する有機ＥＬ素子の材料の発光輝度の差はＲに比べては大きくないので、基準電流設定回路は、Ｇ，Ｂの表示色に共通に設けられていてもよい。
　なお、実施例では、ＭＯＳＦＥＴトランジスタを主体として構成しているが、バイポーラトランジスタを主体としても構成してもよいことはもちろんである。また、実施例のＮチャンネル型トランジスタ（あるいはｎｐｎ型）は、Ｐチャンネル型（あるいはｐｎｐ型）トランジスタに、Ｐチャンネル型トランジスタは、Ｎチャンネル（あるいはｎｐｎ型）トランジスタに置き換えることができる。
【図面の簡単な説明】
【００２４】
【図１】図１は、この発明の有機ＥＬ駆動回路を適用した一実施例の有機ＥＬパネルのカラムドライバを中心とするブロック図である。
【図２】図２は、その基準電流生成回路を中心としたブロック図である。
【図３】図３は、他の基準電流生成回路の具体例のブロック図である。
【符号の説明】
【００２５】
　１…基準電流発生回路、
　２Ｒ，２Ｇ，２Ｂ…基準電流設定回路、
　３，２５，２６…カレントミラー回路、
　４…Ｄ／Ａ変換回路、５…出力段電流源、
　６…レジスタ、７…ＭＰＵ、１０…カラムＩＣドライバ（カラムドライバ）、
　２１…不揮発性メモリ、２２…基準電流生成回路、
　２３…基準電流補正回路、２３ａ…補正電流値発生回路、
　２３ｂ…電流合成回路、２３ｃ…電流加算回路、
　２３ｄ…電流減算回路、２４…出力端子、
　Ｔr1〜Trk，Ｔra〜Trn，Ｑn1，Ｑn2〜Ｑnn，Ｑp1〜Ｑpn…トランジスタ、
　ＳＷ1〜ＳＷk，ＳＷp2〜ＳＷpn，ＳＷn2〜ＳＷnn…スイッチ回路。
【図１】
2004094237.tif 000003
【図２】
2004094237.tif 000004
【図３】
2004094237.tif 000005